(57)【要約】      （修正有）【課題】開閉を容易にでき、比較的狭い間口に簡易に取り付けることができる間仕切りカーテンを提供する。【解決手段】軟質合成樹脂またはゴムからなるシートの一方の端部に管状部を有する複数のシート部材からなり、各シート部材の管状部を連ねて貫通部材を通すことにより構成されることを特徴とする暖簾状の間仕切りカーテン。【選択図】図５
0003172233.tif 000002
【実用新案登録請求の範囲】
【請求項１】
軟質合成樹脂またはゴムからなるシートの一方の端部に管状部を有する複数のシート部材からなり、各シート部材の管状部を連ねて貫通部材を通すことにより構成されることを特徴とする暖簾状の間仕切りカーテン。
【請求項２】
管状部の長さがシートの幅と略等しいことを特徴とする請求項１に記載の間仕切りカーテン。
【請求項３】
軟質合成樹脂またはゴムからなるシートの一方の端部からシートの長さ方向に所定の長さに亘る部分を丸め、当該部分における頂端部と下端部とを貼り合わせることにより管状部が形成されることを特徴とする請求項１又は２に記載の間仕切りカーテン。
【請求項４】
管状部の長さがシートの幅よりも短く、各シート部材において管状部がシートの両側縁部又は一方の側縁部から所定の距離を設けて形成されていることを特徴とする、請求項１に記載の暖簾状の間仕切りカーテン。
【請求項５】
軟質合成樹脂またはゴムからなるシートの一方の端部を凸型又はＬ字型に裁断し、凸部又はＬ字型の突出部を丸め、突出部における頂端部と下端部とを貼り合わせることにより管状部が形成されることを特徴とする請求項４に記載の間仕切りカーテン。
【考案の詳細な説明】
【技術分野】
【０００１】
本考案は、間仕切りカーテンに関し、特に、工場や倉庫と事務所の境や事務所の入口、スーパーやコンビニエンスストアなどの冷蔵食品等の陳列棚や冷凍室の入口等の比較的間口の狭い場所で容易に使用できる暖簾状の間仕切りカーテンに関するものである。
【０００２】
従来から、軟質合成樹脂シート製の間仕切りカーテンが、工場や倉庫と事務所の境や事務所の入口、スーパーやコンビニエンスストアなどの冷凍室の入口等に、遮蔽、保温、断熱、防虫等を目的として使用されている。
【０００３】
従来の間仕切りカーテンとしては、シートの上部にハンガーの取り付け加工をして、専用レールの間口に施工して取り付けるものがある。このような型式の間仕切りカーテンは、開閉性に優れており、大きな間口には有効に使用できるが、施工に大変手間がかかりコストも高くなるため、比較的狭い間口に使用するのには適していない。また、一枚の軟質合成樹脂シートの上部をフラットバー等で固定して、シートを暖簾状にスリットして構成される間仕切りカーテンも知られているが（図１参照）、気密性に欠ける上、切り口が裂け易いという問題がある。
【考案の概要】
【考案が解決しようとする課題】
【０００４】
本考案は、開閉を容易にでき、比較的狭い間口に簡易に取り付けることができる間仕切りカーテンを提供することを目的としている。
【課題を解決するための手段】
【０００５】
本考案によれば、上記課題は、前記実用新案登録請求の範囲に記載した手段にて達成される。即ち、本考案は、請求項１のとおり、軟質合成樹脂またはゴムからなるシートの一方の端部に管状部を有する複数のシート部材からなり、各シート部材の管状部を連ねて貫通部材を通すことにより構成されることを特徴とする暖簾状の間仕切りカーテンに関る。
【０００６】
また、請求項２の通り、管状部の長さがシートの幅と略等しいことを特徴とする請求項１に記載の間仕切りカーテンも本考案に含まれる。また、請求項３のとおり、軟質合成樹脂またはゴムからなるシートの一方の端部からシートの長さ方向に所定の長さに亘る部分を丸め、当該部分における頂端部と下端部とを貼り合わせることにより管状部が形成されることを特徴とする請求項１又は２に記載の間仕切りカーテンも、本考案に含まれる。
【０００７】
更に、請求項４のとおり、管状部の長さがシートの幅よりも短く、各シート部材において管状部がシートの両側縁部又は一方の側縁部から所定の距離を設けて形成されていることを特徴とする、請求項１に記載の暖簾状の間仕切りカーテンも本考案に含まれる。また、請求項５のとおり、軟質合成樹脂またはゴムからなるシートの一方の端部を凸型又はＬ字型に裁断し、凸部又はＬ字型の突出部を丸め、突出部における頂端部と下端部とを貼り合わせることにより管状部が形成されることを特徴とする請求項４に記載の間仕切りカーテンも本考案に含まれる。
【考案の効果】
【０００８】
後述するように、本考案による暖簾状の間仕切りカーテンは、各シート部材が管状部を有し、管状部を連ねて貫通部材を通すことにより構成されているので、比較的狭い間口に簡易に取り付けることができる。また、間仕切りカーテンは複数のシート部材により構成されているので、従来のスリットを設けた間仕切りカーテンに比べて強度的にも優れる。更に、シート部材を１枚のシートから形成することもできるので、簡易にかつ低コストで暖簾状の間仕切りカーテンを製造することができる。更に、従来の間仕切りカーテンのように１枚のシートで構成されている場合には、間仕切りカーテンの一部分が損傷した場合にはカーテン全体を取り替える必要があったが、本考案では、損傷したシート部材のみを新しいシート部材に交換すればよいので、交換作業を簡易かつ低コストで行うことができる。
また、本考案の第１の態様の暖簾状の間仕切りカーテンは、シート部材同士が重なり合わないので、開閉を容易にできるという効果も有する。
更に、本考案の第２の態様の暖簾状の間仕切りカーテンは、各シートの両側縁部又は片側から所定の距離を空けて管状部が形成されているため、シート部材を複数枚重ねたときに、当該距離の長さ程度だけシートの側縁部周辺が部分的に重なるため、間仕切りカーテンに気密性を付与することができ、また、容易に開閉することができる。
そして、本考案による暖簾状の間仕切りカーテンは、工場や倉庫と事務所の境や事務所の入口、スーパーやコンビニエンスストアなどの冷蔵食品等の陳列棚や冷凍室の入口等、比較的間口の狭い場所に容易に使用でき、またスチールラックなどの防塵用カーテンとしても好適に使用することができる。
【考案を実施するための形態】
【０００９】
図２〜図７に、本考案による暖簾状の間仕切りカーテンの実施態様の例を示す。本考案は、軟質合成樹脂またはゴムからなるシートの一方の端部に管状部を有する複数のシート部材からなり、各シート部材の管状部を連ねて貫通部材を通すことにより構成されることを特徴とする暖簾状の間仕切りカーテンに関る。本考案おいては、部材の管状部の長さは、シートの幅と略等しくても、シートの幅よりも短くてもよい。また、各シート部材において、全ての管状部の長さがシートの幅と略等しい場合、全ての管状部の長さがシートの幅よりも短い場合、及び、一部の管状部の長さがシートの幅と略等しくその他の管状部の長さがシートの幅よりも短い場合のいずれも本考案の範囲に含まれる。このように、本考案に関る間仕切りカーテンは、各シート部材が管状部を有し、管状部を連ねて貫通部材を通すことにより構成されているので、比較的狭い間口に簡易に取り付けることができ、また、一部のシート部材が損傷しても損傷したシート部材のみを新しいシート部材に交換すればよいので、交換作業を簡易かつ低コストで行うことができるという有利な効果を有する。
【００１０】
本考案の好ましい態様（第１の態様）によれば、図２に示すように、各シート部材（１ａ）の管状部の長さはシートの幅と略等しい。この態様においては、シート部材同士は重なり合わないので、開閉を容易にできるという効果も有する。
【００１１】
本考案の別の好ましい態様（第２の態様）によれば、各シート部材の管状部の長さはシートの幅よりも短い。図３〜７に本考案の第２の態様に含まれる例が示されている。
【００１２】
図３において、軟質合成樹脂シート（２）の一方の端部にシートの幅よりも短い長さの管状部（３）を有するシート部材の一例（１ｂ）が示されている。管状部はシートの両側縁部から所定の距離を設けて形成されており、シート部材の正面図が全体として凸型の形状となっている。ここで、シートの両側縁部からの距離は左右で同じであっても異なっていてもよく、その長さは適宜定めることができる。また、本考案においては、シート部材の管状部はシートの一方の側縁部のみから所定の距離を設けて形成されていてもよく、この場合には、シート部材の正面図が全体として所謂Ｌ字型又は逆Ｌ字型の形状となる。
【００１３】
図４に示すように、本考案の間仕切りカーテンは、複数のシート部材（１ｂ）からなり、そして、各シート部材の管状部を連ねて貫通部材を通すことにより、各シート部材の側縁部周辺が部分的に重なるように構成されている。本考案の間仕切りカーテンのシート部材においては、シートの両側縁部又は一方の側縁部から所定の距離を設けて管状部が形成されているため、各シート部材の管状部を連ねて貫通部材を通すと、各シート部材の側縁部周辺が当該距離の長さ程度だけ部分的に重なり、これにより、間仕切りカーテンに気密性を付与することができる。
【００１４】
また、本考案の第２の態様には、図４に示すようなシートの両側縁部から所定の距離を設けて管状部が形成されているシート部材のみから構成される場合（Ａタイプ）、シートの一方の側縁部から所定の距離を設けて管状部が形成されているシート部材のみから構成される場合（Ｂタイプ）、及び、シートの両側縁部から所定の距離を設けて管状部が形成されているシート部材とシートの一方の側縁部から所定の距離を設けて管状部が形成されているシート部材から構成される場合（Ｃタイプ）も含まれる。即ち、図５に示すような、正面図が全体として凸型のシート部材（１ｂ）、Ｌ字型のシート部材（１ｃ）、逆Ｌ字型のシート部材（１ｄ）から構成される暖簾状の間仕切りカーテンも本考案の範囲に含まれる。
【００１５】
本考案においては、軟質合成樹脂またはゴムからなるシートの材質としては、例えば、軟質塩化ビニル、ポリオレフィンなどがあげられるが、特段制限されない。また、本考案においては、シートの厚みは特に制限されない。貫通部材としては、突っ張り棒、テンションポールやパイプなどを使用することができる。
【００１６】
本考案においては、管状部（３）は、軟質合成樹脂シート（２）と同じ材質又は異なる材質からなっていてもよいが、軟質合成樹脂シートと同じ材質を用いるのが好ましい。
【００１７】
本考案においては、管状部は、軟質合成樹脂シートの幅より短く裁断したシート又は軟質合成樹脂シートの幅と略等しいシートを、輪を作るようにまるめてウエルダーなどで端部を接着させたものを軟質合成樹脂シート（２）の一方の端部に取り付けて形成することもできる。
【００１８】
また、本考案の第１の態様においては、管状部は、軟質合成樹脂シートの一方の端部からシートの長さ方向に所定の長さに亘る部分を輪を作るように丸め、当該部分おける頂端部と下端部とをウエルダーなどで接着させ貼り合わせることにより形成することができる。
【００１９】
また、本考案の第２の態様においては、管状部は、軟質合成樹脂シートの一方の端部を凸型又はＬ型に裁断して、凸部又はＬ字型の突出部を輪を作るように丸め、突出部における頂端部と下端部とを貼り合わせることにより形成することができる。ここで、Ｌ字型には逆Ｌ字型も含まれる。
【００２０】
頂端部と下端部とを貼り合わせて管状部を形成する具体例として、図６に示すように、凸部の頂端部と下端部とをウエルダーで溶融接着して管状部（３）を形成する方法がある。また、凸部又はＬ字型の突出部の頂端部と下端部とを貼り合わせる手段には、図７に示すような凸部の頂端部と下端部にボタンを設けて両端を留める方法、及び凸部の頂端部と下端部とをマジックテープ（登録商標）で貼り合わせる方法も含まれる。
【００２１】
以下に実施例を示すが、本考案はこれに限定されるものではない。
【実施例１】
【００２２】
幅１５０ｍｍ、長さ２０１０ｍｍの軟質塩化ビニルシートを８枚準備し、内６枚について、一方の端部において幅１００ｍｍ、高さ１１０ｍｍの凸部をシート両側縁部から２５ｍｍの距離を設けるようにしてシートを裁断して形成させた（８）。また、１枚について、一方の端部において、シートの一方の側縁部のみから２５ｍｍの距離を設けるようにして全体としてＬ字型となるようにシートを裁断した（８ａ）。残り１枚については、同様にして、全体として逆Ｌ字型となるようにシートを裁断した（８ｂ）。裁断した各シートの凸型、Ｌ字型又は逆Ｌ字型の突出部の頂端部と下端部において、それぞれの両端付近に円型の穴を打ち抜き機で形成し、そこにボタン留め具を挿入した。それぞれの裁断シートの突出部を丸めて頂端部と下端部とをボタン留めすることで管状部を形成させて、シート部材を作製した（図７参照）。このようにして作製したシート部材８枚を、各シート部材の管状部を連ねて突っ張り棒を通すことにより、各シート部材の側縁部周辺が部分的に重なるように構成される幅８５０ｍｍの暖簾状の間仕切りカーテンを製造した（図５を参照）。
【図面の簡単な説明】
【００２３】
【図１】シートを暖簾状にスリットして構成される間仕切りカーテンの正面図
【図２】本考案の第１の態様の間仕切りカーテンの正面図
【図３】本考案の第２の態様のシート部材の正面図（全体として凸型の形状）
【図４】本考案の第２の態様の間仕切りカーテンの正面図（Ａタイプ）
【図５】本考案の第２の態様の間仕切りカーテンの正面図（Ｃタイプ）
【図６】シート部材の一方の端部を拡大する図（ウエルダーによる溶融接着で貼り合わせる態様）
【図７】シート部材の一方の端部を拡大する図（ボタン留めにより貼り合わせる態様）
【図８】実施例１による凸型、Ｌ字型、逆Ｌ字型に裁断したシート
【符号の説明】
【００２４】
１ａ．シート部材（管状部の長さとシート幅が略等しいシート部材）
１ｂ．シート部材（正面図が全体として凸型の形状）
１ｃ．シート部材（正面図が全体としてＬ字型の形状）
１ｄ．シート部材（正面図が全体として逆Ｌ字型の形状）
２．軟質合成樹脂製のシート
３．管状部
４．貫通部材
５．暖簾状間仕切りカーテン
６．ウエルダーによる溶融接着部分
７．ボタン留めをした部分
８．凸型に裁断したシート
８ａ．Ｌ字型に裁断したシート
８ｂ．逆Ｌ字型に裁断したシート
【図１】
0003172233.tif 000003
【図２】
0003172233.tif 000004
【図３】
0003172233.tif 000005
【図４】
0003172233.tif 000006
【図５】
0003172233.tif 000007
【図６】
0003172233.tif 000008
【図７】
0003172233.tif 000009
【図８】
0003172233.tif 000010